(57)【特許請求の範囲】
【請求項１】
外形が顔面の各部位の肌面形状にならう形状で設定され、前記顔面の各部位の肌面形状にならい当該顔面の肌面に添わせて配置されるシートと、
前記肌面に配置される前記シートのシート面に密集して配置され、前記シート面から前記肌面へ、当該肌面の皮膚の表皮層から真皮層に届くまで刺込み可能に突き出た多数本の微針と、
前記肌面に配置される前記シートのシート面に設けられ、前記シート面から突き出た多数本の微針を前記肌面に前記真皮層まで刺し込んだ状態で固定させる、前記肌面に貼付可能な貼付面とを有し、
前記貼付面にて、前記多数本の微針を、前記皮膚の真皮層に刺し込んだ状態で前記肌面に固定し続けることによって、前記皮膚の皮下に、創傷治癒の作用により修復可能な多数の微細な傷を形成可能とした
ことを特徴とする顔面美容用密集型微針シート。
【発明の詳細な説明】
【技術分野】
【０００１】
本発明は、顔面の美容に用いられる顔面美容用密集型微針シートに関する。
【背景技術】
【０００２】
近時、微針は、皮膚に皮内針を固定して針治療に用いるだけでなく、美容、例えば皮膚の弾力性の向上、皺、たるみ、毛穴の開き、にきび跡の、セルライトなどの改善に用いられつつある。
美容は、針治療のように皮膚近くの神経線維を微針で刺激して、消炎や鎮痛や血行改善をするものではなく、微針にて皮下に微細な傷を作り、同傷がコラーゲンの産生により修復することで行われる。
【０００３】
具体的なメカニズムとしては、微針を肌面に突き刺して、皮下に微細な傷を作り、この微細な傷に対して働く人体の生理的反応である「創傷治癒」の作用を意図的に利用して、新陳代謝と皮膚再生を促し、コラーゲンの産生の促進から、皮膚の弾力性、皺、たるみ、毛穴の開き、にきび跡、セルライトなどを改善する。
こうした美容に用いられる微針は、針治療で用いられる皮内針と同様、肌面に一本ずつ対象部位の肌面に突き刺す構造が用いられる（特許文献１を参照）。
【先行技術文献】
【特許文献】
【０００４】
【特許文献１】特開２００７−６１２００号公報
【発明の概要】
【発明が解決しようとする課題】
【０００５】
美容では、対象となる人体の部位は広い領域が多い。顔面、具体的には頬、額、顎部などいった、広い領域の肌面がほとんどである。
ところで、肌面の新陳代謝、再生を促すためには、対象部位となる広い領域の皮下に多数の微小な傷を作ることが求められる。
【０００６】
ところが、美容では、この広い対象部位に、一本ずつ微針を肌面に突き刺し、対象部位全体に微針を配置して、皮下に多数の微小な傷を作ることになる。このため、微針による肌面の傷付けは、かなり面倒な作業となっていた。
【０００７】
そこで、本発明の目的は、簡便な作業で、広い領域を有する対象部位に、多数本の微針が突き刺せる顔面美容用密集型微針シートを提供することにある。
【課題を解決するための手段】
【０００８】
請求項１の発明は、外形が顔面の各部位の肌面形状にならう形状で設定され、顔面の各部位の肌面形状にならい当該顔面の肌面に添わせて配置されるシートと、肌面に配置されるシートのシート面に密集して配置され、シート面から前面へ、当該肌面の皮膚の表皮層から真皮層に届くまで刺込み可能に突き出た多数本の微針と、肌面に配置されるシートのシート面に設けられ、シート面から突き出た多数本の微針を肌面に真皮層まで刺し込んだ状態で固定させる、肌面に貼付可能な貼付面とを有し、貼付面にて、多数本の微針を、皮膚の真皮層に刺し込んだ状態で肌面に固定し続けることによって、皮膚の皮下に、創傷治癒の作用により修復可能な多数の微細な傷を形成可能とした顔面美容用密集型微針シートにある。
同構成により、対象部位の肌面に多数本の微針を刺すときは、シートを対象部位の肌面に添わせるように配置しながら、シートから突き出た多数本の微針を肌面へ押し込めばよい。これにより、シート面から突き出た多数本の微針は、一度に肌面から皮下へ刺し込まれる。すると、対象部位の皮下では、「創傷治癒」の作用をもたらす、新陳代謝、皮膚再生を促す多数の微小な傷が作られる（美容）。
【発明の効果】
【００１０】
本発明によれば、顔面美容用密集型微針シートを顔面の肌面に添わせるように配置しながら、同シートから突き出た多数本の微針を肌面へ押し込むだけで、一度に多数本の微針が肌面から皮下へ刺し込まれる。
したがって、シートを肌面に配置するという簡便な作業で、広い領域を有する対象部位に、多数本の微針を突き刺すことができる。よって、容易に広い対象部位の皮下に、創傷治癒」の作用をもたらす多数の微小な傷を作ることができ、十分に新陳代謝、皮膚再生を促す作用を確保できる（美容）。
【００１２】
そのうえ、シートの外形を、顔面の各部位の肌面形状にならう形状にしたことにより、対象部位の形状に合わせて、適切に微針群を配置することができる。
【図面の簡単な説明】
【００１３】
【図１】本発明の一実施形態の顔面美容用密集型微針シートを、施術（美容）する状態と共に示す斜視図。
【図２】各種形状の密集型微針シートをそれぞれ示す正面図。
【図３】密集型微針シートの全体を、同シートを保護する保護部材と共に示す分解斜視図。
【図４】図３中のＡ−Ａ線に沿う断面図。
【図５】密集型微針シートを肌面へ刺すときを示す断面図。
【図６】微針群が肌面に刺し込まれた状態を示す断面図。
【図７】微針による傷が修復される状況を説明する断面図。
【発明を実施するための形態】
【００１４】
以下、本発明を図１〜図７に示す一実施形態にもとづいて説明する。
図１中１は、顔面美容用密集型微針シート（以下、密集型微針シートという）を示している。同密集型微針シート１は、美容、ここでは顔面の肌、具体的には顔ａの皮膚の弾力性を高めたり、顔ａの皺、顔ａのたるみ、毛穴の開き、にきび跡などの改善に用いる。
【００１５】
密集型微針シート１は、図２（ａ）〜（ｄ）に示されるように対象部位の肌面に応じて、各種外形並びに大きさのシートがそれぞれ用意されている。ここでは、密集型微針シート１は、顔面の各部位に応じた各種形状、例えば図２（ａ）に示されるような一般成人女性の額の形状や広さにしたがい定めた額形の密集型微針シート１ａや、図２（ｂ）に示されるような一般成人女性の目の下から口元までの頬全体の形状や広さにしたがい定めた頬形の密集型微針シート１ｂや、図２（ｃ）に示されるような一般成人女性の目の下の形状や広さにしたがい定めた目の下形の密集型微針シート１ｃや、図２（ｄ）に示されるような一般成人女性の頬の下側から口元までの頬形状や広さにしたがい定めた下頬形の密集型微針シート１ｄや、図２（ｅ）のような一般成人女性の顎を含む口元両側の範囲の形状や広さにしたがい定めた顎形の密集型微針シート１ｅなどが用意されている。
【００１６】
図１は、このうちの図２（ｂ）に示す密集型微針シート１ｂを頬全体に用いたときを挙げている（他形状は図示せず）。図３には、この頬形の密集型微針シート１ｂの全体が示され（針側からの図）、図４（ａ），（ｂ）には、同シート１ｂの断面（図３中のＡ−Ａ線）が示されている。
【００１７】
図３および図４（ａ），（ｂ）を参照して、密集型微針シート１ｂの各部を説明すると、２は、例えば柔軟性をもつ薄板の合成樹脂部材から構成されたシート部材（本願のシートに相当）である。このシート部材２の外形は、前述のように一般成人女性の目の下から口元までの頬全体を覆うのに適した形状や広さに定めてある。これで、美容の対象部位となる頬領域に合わせて、シート全体を頬面（肌面）に添わせられるようにしている。
【００１８】
このシート部材２の一側面、具体的には図４（ｂ）に示されるように肌面の配置される側のシート面３には、例えば粘着材４ａが塗布され、頬に貼付可能な貼付面４を形成している。つまり、シート部材２は、頬面（肌面）に貼り付けられるようにしている。むろん、貼付面４は、頬面から剥がせる。
【００１９】
またシート部材２のシート面３には、図３および図４に示されるように微針５が植えられている。微針５は、皮膚の厚み、皮膚具合に応じて、多数本、シート面３に植え付けてある。
【００２０】
すなわち、美容用として微針５は、長さ寸法が０．５〜２．０ｍｍ程度、太さが１．８〜２．４ｍｍ程度の微小な針部材、例えばステンレススチール製の針が用いられる。
微針５は、これらの範囲内から、頬の厚みに適した長さ寸法および太さのステンレススチール製の針を選んで、シート面３上に、例えば数百本、植え付けてある（シート面３とは略直角な方向から）。このシート部材２を台座とした微針５の取り付けにより、針倒れが抑えられる構造ともなっている。
【００２１】
数百本（多数本）のステンレススチール製の針は、例えば０．２〜２．０ｍｍ程度の間隔で、点在、例えば多数条、シート面３上に配置され、シート面３に高い密度で微針５を配置させている（密集）。この微針５群は、粘着層（貼付面４を形成するもの）を通り、シート面３から突き出ていて、密集型微針シート１ｂが、頬面（肌面）に貼り付けられるにしたがい、微針５が頬面（肌面）へ刺し込める。つまり微針５の先端（尖頭部）から肌面へ刺し込める構造にしている。
【００２２】
この密集型微針シート１ｂは、同シート１ｂの取り扱いが安全に行えるよう、通常、貼付面４や微針５が有る側は、図３および図４（ａ）に示されるように保護部材、例えば貼付面４と剥離可能な剥離面６ａをもつスポンジシート６で覆われる。
ちなみに、他の密集型微針シート１ａ，１ｃ，１ｄ，１ｅも、同様な構造が用いられている。
【００２３】
つぎに、このように構成された密集型微針シート１ｂの作用について説明する。
密集型微針シート１ｂを用いて、例えば顔ａの右側の頬全体の肌を改善、例えば皮膚の弾力性、皺、たるみ、毛穴の開き、にきび跡やセルライトなどを改善するとする。
【００２４】
このときは、まず、図３および図４に示されるように密集型微針シート１ｂからスポンジシート６を剥離し、同シート１ｂの微針５を露出させる。この後、図１に示されるように同シート１ｂを頬の位置や形状に合わせる。ついで、図１、図５および図６に示されるように美容の対象部位となる顔ａの肌面部位、ここでは右側の頬面全体に添わせ、シート部材２から突き出た多数本の微針５を肌面へ押し込み、図１および図５に示されるように貼付面４を頬面全体に貼り付ける。
【００２５】
すると、図６に示されるように多数本の微針５は、一度に頬面（肌面）から皮下へ刺し込まれる。具体的には微針５は、皮膚の表皮層αから真皮層βに届く地点まで刺し込まれる（皮膚の表層）。この微針５の刺し込みにより、皮下には微細な傷が作られる。
このときの刺し込む力は、多数本の微針５に分散されるため、一本ずつ微針を刺す場合に比べ、負担（痛み）は少ない。
【００２６】
密集型微針シート１ｂを頬面に貼り付けたまま（固定）、放置しておく。これにより、皮下には微細な傷が十分に作られる。
その後、密集型微針シート１ｂを頬面から剥がし、微針５を頬面から抜く。これにより、頬面（肌面）には、図７（ａ）に示されるように多数の微細な傷ｉが残る。すると、微細な傷ｉに対して働く人体の生理的反応である「創傷治癒」の作用により、新陳代謝と皮膚再生が促され、コラーゲンの産生が促進される。この一連の機序により、微細な傷ｉは、図７（ｂ）に示されるように修復され、皮膚の弾力、皺、たるみ、毛穴の開き、にきび跡、セルライトなどが改善される。つまり、美容目的が果たされる。
【００２７】
かくして、密集型微針シート１ｂの採用により、同シート１ｂを対象部位の肌面に添わせ、同シート１ｂから突き出た多数本の微針５を肌面へ押し込むだけで、一度に多数本の微針５を肌面から皮下へ刺し込むことができる。
【００２８】
それ故、従来のような面倒な一本ずつ刺す手間を必要とせずに、密集型微針シート１ｂを肌面に配置するという簡便な作業だけで、多数本の微針を広い対象部位の領域に突き刺すことができる。しかも、針に力が集中する針を一本ずつの肌面に刺すのではなく、多数本の針に力が分散する、一度に多数本の微針を肌面に刺すので、負担（痛み）は小さくてすむ。同効果は、他の密集型微針シート１ａ，１ｃ，１ｄ，１ｅを用いたときも同様である。
【００２９】
特に密集型微針シート１ｂは、肌面に貼付可能な構造にしたことにより、多数本の微針５は肌面に突き刺したまま固定されるため、微針５による傷を作る作用を持続させることができ、十分な新陳代謝や皮膚再生が促せる。
【００３０】
しかも、微針５の長さは、人体各部の皮膚の厚みに応じて設定してあるので、微針５がもたらす「創傷治癒」の効果を、人体各部に応じて十分に発揮させることができる。
そのうえ、シート部材２の外形は、人体の各部位の肌面形状にならう形状にしてあるので、密集型微針シート１ｂは、対象部位となる形状に合わせるだけで、適切に微針５群を対象部位に配置することができ、容易に「創傷治癒」を発揮させることができる。
【００３５】
なお、本発明は、上述した一実施形態に限定されるものではなく、本発明の主旨を逸脱しない範囲内で種々可変して実施しても構わない。
【符号の説明】
【００３６】
１ｂ  密集型微針シート
２  シート部材（シート）
３  シート面
４  貼付面
５  微針
【図１】
0005474139.tif 000002
【図２】
0005474139.tif 000003
【図３】
0005474139.tif 000004
【図４】
0005474139.tif 000005
【図５】
0005474139.tif 000006
【図６】
0005474139.tif 000007
【図７】
0005474139.tif 000008